(57)【要約】      （修正有）【課題】弓的を設置場所の砂に固定する際の弓的の上下移動や上下揺動が繰り返されても、長串と短串とによる的枠周壁の弾性的な挟持を維持可能な弓的固定具を提供する。【解決手段】弓的を設置場所の砂に固定するための弓的固定具は、略平行に延在する長短一対の串２６、２７と、短串２７の一端部を長串２６から離隔する方向へ付勢する付勢手段２８と、短串の長さ方向中央部で短串と長串とに係止して短串の長串から離隔する側の側面を長短一対の串が含まれる平面に直交する軸線回りに回動可能に支持する支持手段とを備える。付勢手段によって前記軸線回りに回転駆動された短串の他端部が長串の一端部に押し当てられるので、弓的を設置場所の砂に固定する際の弓的の上下移動や上下揺動が繰り返されて短串と長串の的枠周壁との係合部が経時劣化により塑性変形したとしても、付勢手段が健在である限り、長串と短串とによる的枠周壁の弾性的な挟持を維持できる。【選択図】図３
2014105955.tif 000002
【特許請求の範囲】
【請求項１】
的枠に的紙を貼り付けた弓的を設置場所の砂に固定するための弓的固定具であって、略平行に延在する長短一対の串と、短串の一端部を長串から離隔する方向へ付勢する付勢手段と、短串の長さ方向中央部で短串と長串とに係止して短串の長串から離隔する側の側面を長短一対の串が含まれる平面に直交する軸線回りに回動可能に支持する支持手段とを備え、付勢手段によって前記軸線回りに回転駆動された短串の他端部が長串の一端部に押し当てられることを特徴とする弓的固定具。
【請求項２】
付勢手段は短串の一端部と長串の前記短串一端部に対峙する部位とに当接するバネであり、支持手段は、梁部裏面を短串の長串から離隔する側の側面に当接させ、短串と長串とを貫通した両脚部の自由端が折り曲げられて長串の短串から離隔する側の側面に当接したステープル、又は頭部裏面を短串の長串から離隔する側の側面に当接させ、短串と長串とを貫通した縦に複数に分割された脚部の自由端が互いに離隔する方向に折り曲げられて長串の短串から離隔する側の側面に当接した割りピン、又は長串と短串とに掛け渡されて巻き付けられた紐又はワイヤであることを特徴とする請求項１に記載の弓的固定具。
【請求項３】
付勢手段は、長串へ接近する方向へ湾曲又は屈曲した短串の一端部及びその近傍部と、短串の前記湾曲又は屈曲した部位と長串との間に介挿された楔部材とにより形成され、支持手段は、梁部裏面を短串の長串から離隔する側の側面に当接させ、短串と長串とを貫通した両脚部の自由端が折り曲げられて長串の短串から離隔する側の側面に当接したステープル、又は頭部裏面を短串の長串から離隔する側の側面に当接させ、短串と長串とを貫通した縦に複数に分割された脚部の自由端が互いに離隔する方向に折り曲げられて長串の短串から離隔する側の側面に当接した割りピン、又は長串と短串とに掛け渡されて巻き付けられた紐又はワイヤであることを特徴とする請求項１に記載の弓的固定具。
【請求項４】
紐又はワイヤの位置決め用の溝が短串の長串から離隔する側の側面と長串の短串から離隔する側の側面とに形成されていることを特徴とする請求項２又は３に記載の弓的固定具。
【請求項５】
紐又はワイヤが巻き付けられた位置において、短串と長串との間にローラーが配設されており、短串の長串に接近する側の側面と長串の短串に接近する側の側面とにはローラーの位置決め用の溝が形成されていることいることを特徴とする請求項４に記載の弓的固定具。
【発明の詳細な説明】
【技術分野】
【０００１】
本発明は、弓的を設置場所の砂に固定する際に使用する弓的固定具に関するものである。
【背景技術】
【０００２】
図１に示す薄肉短円筒状の的枠１に的紙２を貼り付けた弓的３を傾斜した設置場所４の砂５に固定するための弓的固定具であって、図２に示す略平行に延在する長短一対の串６、７と、短串７の一端部７ａと長串６の前記一端部７ａに対峙する部位６ａとの間に介挿されたスペーサ８と、短串７の一端部７ａと長串６の前記一端部７ａに対峙する部位６ａとスペーサ８とに掛け渡されて巻き付けられた紐９とを備え、短串７の他端部７ｂと長串６の前記他端部７ｂに対峙する一端部６ｂとの間に所定の隙間Ｓが形成されたことを特徴とする弓的固定具１０が、従来から使用されている。
弓的３を設置場所４の砂５に固定する際には、隙間Ｓを押し広げつつ弓的固定具１０の長串６と短串７との間に的枠１の周壁を押し込んで的枠１の端面をスペーサ８に当接させると共に長串６と短串７とで的枠１の周壁を弾性的に挟持させ、次いで、的紙２を鉛直に延在させ且つ弓的固定具１０の長串６の他端部６ｃを設置場所４の傾斜面に差し向け且つ的枠１周壁の弓的固定具１０が挟持した部位を上方へ差し向けて弓的３を両手で保持し、長串６を傾斜した設置場所４の砂５に押し込み、的枠１の下部を部分的に砂５に押し込んで、弓的３を設置場所４の砂５に安定的に固定する。
【発明の概要】
【発明が解決しようとする課題】
【０００３】
弓的３を設置場所４の砂５に固定する際に、弓的３の高さ方向取付位置を微調整すべく、長串６を傾斜した設置場所４の砂５に押し込んだまま弓的３を上下方向に僅かに移動させ、或いは的紙２の傾斜を微調整すべく、長串６を傾斜した設置場所４の砂５に押し込んだまま弓的３を上下方向に僅かに揺動させる場合がある。従来構造の弓的固定具１０には、前述の弓的３の上下移動や上下揺動が繰り返されると、長短の串６、７の的枠１との係合部が経時劣化により塑性変形して隙間Ｓが増加し、長串６と短串７とで的枠１の周壁を弾性的に挟持することができなくなるという問題があった。
本発明は上記問題に鑑みてなされたものであり、弓的３を設置場所４の砂５に固定する際の弓的３の上下移動や上下揺動が繰り返されても、長串６と短串７とによる的枠１周壁の弾性的な挟持を維持することができる弓的固定具を提供することを目的とする。
【課題を解決するための手段】
【０００４】
上記課題を解決するために、本発明においては、的枠に的紙を貼り付けた弓的を設置場所の砂に固定するための弓的固定具であって、略平行に延在する長短一対の串と、短串の一端部を長串から離隔する方向へ付勢する付勢手段と、短串の長さ方向中央部で短串と長串とに係止して短串の長串から離隔する側の側面を長短一対の串が含まれる平面に直交する軸線回りに回動可能に支持する支持手段とを備え、付勢手段によって前記軸線回りに回転駆動された短串の他端部が長串の一端部に押し当てられることを特徴とする弓的固定具を提供する。
本発明に係る弓的固定具においては、付勢手段により付勢された短串が支持手段の回りに回転し、短串の他端部が長串の一端部に押し当てられるので、短串の他端部と長串の一端部とで的枠１周壁を弾性的に挟持すれば、弓的３を設置場所４の砂５に固定する際の弓的３の上下移動や上下揺動が繰り返されて短串と長串の的枠１周壁との係合部が経時劣化により塑性変形したとしても、付勢手段による付勢が維持される限り、長串６と短串７とによる的枠１周壁の弾性的な挟持を維持することができる。
【０００５】
短串の一端部と長串の前記短串一端部に対峙する部位とに当接するバネで付勢手段を形成しても良く、或いは、長串へ接近する方向へ湾曲又は屈曲した短串の一端部及びその近傍部と、短串の前記湾曲又は屈曲した部位と長串との間に介挿された楔部材とで付勢手段を形成しても良い。後者の場合は短串の湾曲又は屈曲した部位と長串との間に形成される先細りの隙間の先端部へ向けて楔部材を移動させて当該隙間を押し広げることにより、短串の一端部を長串から離隔する方向へ付勢する。
梁部裏面を短串の長串から離隔する側の側面に当接させ、短串と長串とを貫通した脚部の自由端が折り曲げられて長串の短串から離隔する側の側面に当接したステープルで支持手段を形成しても良く、或いは、頭部裏面を短串の長串から離隔する側の側面に当接させ、短串と長串とを貫通した縦に複数に分割された脚部の自由端が互いに離隔する方向に折り曲げられて長串の短串から離隔する側の側面に当接した割りピンで支持手段を形成しても良く、或いは、長串と短串とに掛け渡されて巻き付けられた紐又はワイヤで支持手段を形成しても良い。
長串と短串とに掛け渡されて巻き付けられた紐又はワイヤで支持手段を形成する場合には、紐又はワイヤの位置決め用の溝を長串の短串から離隔する側の側面と短串の長串から離隔する側の側面とに形成するのが望ましい。また、長串と短串とに掛け渡されて巻き付けられた紐又はワイヤで支持手段を形成する場合に、支持位置での短串と長串との間の隙間を所定値に規制するために、紐又はワイヤの巻き付け作業を容易化するために、短串と長串との間にローラーを配設しても良い。
【図面の簡単な説明】
【０００６】
【図１】弓的の構成と、設置要領とを示す図である。（ａ）は的枠の斜視図であり、（ｂ）は的紙の正面図であり、（ｃ）は的紙を的枠に取り付けて完成した弓的の斜視図であり、（ｄ）は設置場所の砂に固定された弓的の側面図である。
【図２】従来構造の弓的固定具の側面図である。
【図３】本発明の実施例に係る弓的固定具の構造図である。（ａ）は側面図であり、（ｂ）は上面図であり、（ｃ）はステープルの正面図であり、（ｄ）は支持部近傍の上面図であり、（ｅ）は支持部近傍の下面図である。
【図４】本発明の他の実施例に係る弓的固定具の構造図である。（ａ）は側面図であり、（ｂ）はローラー位置での横断面図である。
【図５】本発明の他の実施例に係る弓的固定具の構造図である。（ａ）は側面図であり、（ｂ）は上面図であり、（ｃ）は支持部近傍の拡大側面図である。
【図６】本発明の他の実施例に係る弓的固定具の支持部近傍の拡大断面図である。
【発明を実施するための形態】
【０００７】
図３に示すように、弓的固定具２０は、略平行に延在する長短一対の串２６、２７と、短串２７の一端部２７ａと長串２６の前記短串一端部２７ａに対峙する部位とに当接し、短串２７の一端部２７ａを長串２６から離隔する方向へ付勢するバネ２８とを備えている。串２６、２７は薄肉且つ狭幅の棒状部材として形成されている。短串２７は長串２６の長手方向一端部２６ｂ側に片寄せして配設されている。長串２６の他端近傍部の幅と厚みは他端へ向けて減少している。
ステープル２９が、梁部２９ａ裏面が短串２７の長串２６から離隔する側の側面２７ｂに当接し、両脚部２９ｂが短串２７と長串２６とを貫通し且つ長串２６から突出した両脚部２９ｂの自由端が折り曲げられて長串２６の短串２７から離隔する側の側面２６ａに当接した状態で、短串２７の長さ方向中央部において、長串２６と短串２７とに係止している。ステープルの梁部２９ａは、上面視で短串２７の長手方向に対して直交している。ステープルの脚部２９ｂと、当該脚部が挿通される短串２７の貫通孔の周壁との間には、短串２７の回転を許容するための隙間が形成されている。
バネ２８の付勢力を受けた短串２７は、長串２６から離隔する側の側面２７ｂが、ステープルの梁部２９ａによって、長短一対の串２６、２７が含まれる平面に直交する軸線回りに回動可能に支持され、図３（ａ）で見て前記軸線回りに反時計回りに回転して、他端部２７ｃが長串２６の一端部２６ｂに押し当てられている。
【０００８】
弓的固定具２０を用いて弓的３を設置場所４の砂５に固定する際には、短串２７の他端部２７ｃを長串２６の一端部２６ｂから押し離しつつ弓的固定具２０の長串２６と短串２７との間に的枠１の周壁を押し込んで的枠１の端面をステープル２９の両脚部２９ｂに当接させると共に長串２６と短串２７とで的枠１の周壁を弾性的に挟持させ、次いで、的紙２を鉛直に延在させ且つ弓的固定具２０の長串２６の他端部２６ｃを設置場所４の傾斜面に差し向け且つ的枠１周壁の弓的固定具２０が挟持した部位を上方へ差し向けて弓的３を両手で保持し、長串２６を傾斜した設置場所４の砂５に押し込み、的枠１の下部を部分的に砂５に押し込んで、弓的３を設置場所４の砂５に安定的に固定する。
弓的固定具２０においては、バネ２８により付勢された短串２７がステープルの梁部２９ａ回りに回動し、短串２７の他端部２７ｃが長串２６の一端部２６ｂに押し当てられているので、短串２７の他端部２７ｃと長串２６の一端部２６ｂとで的枠１周壁を弾性的に挟持すれば、弓的３を設置場所４の砂５に固定する際の弓的３の上下移動や上下揺動が繰り返され、短串２７と長串２６の的枠１周壁との係合部が経時劣化により塑性変形したとしても、バネ２８による付勢が維持される限り、長串２６と短串２７とによる的枠１周壁の弾性的な挟持を維持することができる。
弓的固定具２０においては、短串２７の長串２６から離隔する側の側面２７ｂを、ステープルの梁部２９ａによって、長短一対の串２６、２７が含まれる平面に直交する軸線回りに回動可能に支持したので、旧来の洗濯挟のように短串２７と長串２６との間に支持部を配設する場合に比べて、短串２７を長串２６に接近して配設することができる。この結果、弓的固定具２０を的枠１に取り付けた際の、弓的固定具２０の的枠１からの径方向の突出量が低減し、弓的固定具２０に矢が当たって弓的固定具２０が損傷する可能性が低減し、弓的固定具２０の耐用期間が延びる。
【０００９】
図４に示すように、短串２７の一端部２７ａ及びその近傍部を長串２６へ接近する方向へ湾曲又は屈曲させると共に、短串２７の前記湾曲又は屈曲した部位と長串２６との間にボビン形状の楔部材３０を介挿し、短串２７の湾曲又は屈曲した部位と長串２６との間に形成される先細りの隙間３１の先端部へ向けて楔部材３０を移動させて隙間３１を押し広げることにより、短串２７の一端部２７ａを長串２６から離隔する方向へ付勢しても良い。
【００１０】
図５に示すように、長串２６と短串２７とに掛け渡して巻き付けた紐又はワイヤ３２で、短串２７の長串２６から離隔する側の側面２７ｂを、長短一対の串２６、２７が含まれる平面に直交する軸線回りに回動可能に支持しても良い。この場合、紐又はワイヤの位置決め用の溝２６ｄ、２７ｄを長串２６の短串２７から離隔する側の側面２６ａと短串２７の長串２６から離隔する側の側面２７ａとに形成するのが望ましい。支持位置での短串２７と長串２６との間の隙間を所定値に規制するために、紐又はワイヤ３２の巻き付け作業を容易化するために、前記支持位置において短串２７と長串２６との間にローラー３３を配設しても良い。ローラー３３を配設する場合には、ローラー位置決め用の溝２６ｅ、２７ｅを長串２６の短串２７に接近する側の側面と短串２７の長串２６に接近する側の側面とに形成するのが望ましい。
【００１１】
図６に示すように、頭部３４ａ裏面が短串２７の長串２６から離隔する側の側面２７ｂに当接し、短串２７と長串２６とを貫通した縦に複数に分割された脚部３４ｂの自由端が互いに離隔する方向に折り曲げられて長串２６の短串２７から離隔する側の側面２６ａに当接した割りピン３４で短串２７を支持しても良い。頭部３４ａが短串２７の長串２６から離隔する側の側面２７ｂを、長短一対の串２６、２７が含まれる平面に直交する軸線回りに回動可能に支持する。割りピンの脚部３４ｂと、当該脚部が挿通される短串２７の貫通孔の周壁との間には、短串２７の回転を許容するための隙間を形成する。
【産業上の利用可能性】
【００１２】
本発明は、弓的固定具に広く利用可能である。
【符号の説明】
【００１３】
１  的枠
２  的紙
３  弓的
４  弓的の設置場所
５  砂
６、２６  長串
７、２７  短串
８  スペーサ
Ｓ  隙間
２８  バネ
２９  ステープル
３０  楔部材
３２  紐又はワイヤ
３３  ローラー
３４  割りピン
【図１】
2014105955.tif 000003
【図２】
2014105955.tif 000004
【図３】
2014105955.tif 000005
【図４】
2014105955.tif 000006
【図５】
2014105955.tif 000007
【図６】
2014105955.tif 000008